(57)【要約】【課題】可搬型放射線画像検出装置が撮影可能な状態にポジショニングされていても短時間で容易にバッテリを交換可能、且つ、筐体内のスペースを有効活用することができる。【解決手段】  撮影台のトレイ２１は、前面から上面にかけて切り欠かれた略Ｌ字状の開口部２１ｂに電子カセッテ１３を保持する。開口部２１ｂは、電子カセッテ１３を縦姿勢、または横姿勢で電子カセッテ１３を取り付けるように形成されている。電子カセッテ１３のケース２６には、２つの装着部３１，３２が設けられている。電子カセッテ１３がトレイ２１に取り付けられたとき、開口部２１ｂから露呈する装着部３１，３２の一方にバッテリユニット２８が装着され、他方に機能部が内蔵された機能部ユニット２９が装着される。【選択図】図３
2011232667.tif 000002
【特許請求の範囲】
【請求項１】
被検体を透過した放射線を検出して放射線画像を生成する検出部と、
前記検出部を収容する筐体と、
前記筐体に設けられ、前記検出部へ電力を供給するバッテリユニットを着脱自在に装着可能な第１及び第２の装着部と、
前記第１及び第２の装着部に着脱自在に装着可能な、前記検出部を動作させるための機能部が内蔵された機能部ユニットとを備えていることを特徴とする可搬型放射線画像検出装置。
【請求項２】
前記第１及び第２の装着部は、前記バッテリユニット及び前記機能部ユニットを相互に入れ替えて装着することが可能であることを特徴とする請求項１記載の可搬型放射線画像検出装置。
【請求項３】
前記筐体は、撮影台に対して着脱自在に取り付け可能であり、前記バッテリユニット及び前記機能部ユニットは、前記筐体の外面から突出しない状態で前記第１及び第２の装着部に装着されることを特徴とする請求項１または２記載の可搬型放射線画像検出装置。
【請求項４】
前記バッテリユニット及び前記機能部ユニットは、外形が同一形状であることを特徴とする請求項３記載の可搬型放射線画像検出装置。
【請求項５】
前記筐体の形状は、国際規格ＩＳＯ４０９０：２００１に準拠していることを特徴とする請求項１ないし４のいずれか１項載の可搬型放射線画像検出装置。
【請求項６】
前記筐体は、放射線が照射される照射面と、照射面の反対側の背面とがほぼ長方形状であり、照射面及び背面のそれぞれの長辺に沿って配置される２つの第１側面と、照射面及び背面のそれぞれの短辺に沿って配置され、前記第１側面と略直交する２つの第２側面とを有しており、前記撮影台に取り付けられたときに１つの前記第１側面が外部に露呈される第１取り付け姿勢と、前記撮影台に取り付けられたときに１つの前記第２側面が外部に露呈される第２取り付け姿勢の２つの姿勢で取り付け可能であることを特徴とする請求項２ないし５のいずれか１項記載の可搬型放射線画像検出装置。
【請求項７】
前記第１の装着部は、前記第１側面の１つに設けられ、前記第２の装着部は、第２側面の１つに設けられていることを特徴とする請求項６記載の可搬型放射線画像検出装置。
【請求項８】
前記第１及び第２の装着部は、それぞれの収納部へ前記バッテリユニット又は前記機能部ユニットを受け入れるための開口を有することを特徴とする請求項７記載の可搬型放射線画像検出装置。
【請求項９】
バッテリユニットが取り外されたときにバッテリユニットの代わりに電力を供給する予備バッテリを備えていることを特徴とする１ないし８のいずれか１項記載の可搬型放射線画像検出装置。
【請求項１０】
前記機能部は、筐体内の各回路及び素子を制御する制御部であることを特徴とする請求項１ないし９のいずれか１項記載の可搬型放射線画像検出装置。
【請求項１１】
前記第１及び第２の装着部は、前記バッテリユニットまたは前記機能部ユニットに設けられたガイド片またはガイド溝と嵌合して、前記バッテリユニットまたは前記機能部ユニットを着脱方向にガイドするガイド溝またはガイド片を有することを特徴とする請求項１ないし１０のいずれか１項記載の可搬型放射線画像検出装置。
【発明の詳細な説明】
【技術分野】
【０００１】
本発明は、被検体を透過した放射線を検出して放射線画像を生成する可搬型放射線画像検出装置に関する。
【背景技術】
【０００２】
近年、ＴＦＴ（Thin film transistor）アクティブマトリクス基板上にＸ線感応層を配置し、Ｘ線を直接デジタルデータに変換できるＦＰＤ（flat panel detector）が実用化されている。また、ＦＰＤを用いて被検体を透過して照射された放射線により表わされる放射線画像を生成し、生成した放射線画像を記憶する可搬型放射線画像検出装置（以下「電子カセッテ」ともいう）が実用化されている。
【０００３】
電子カセッテは、可搬性の観点から小型軽量化が進んでおり、さらに撮影の際のポジショニングの自由度の向上など使い勝手の向上を目的として、バッテリによる駆動を可能にするとともに、コンソールなどの外部装置との間での通信を無線化することで、電源ケーブルや通信ケーブルを無くすワイヤレス化を図ることが提案されている(例えば特許文献１参照)。
【０００４】
放射線検査においては、精緻な画像診断を行うために、同一部位に対して撮影方向が異なる複数枚の画像を撮影したり、異なる部位を撮影した複数枚の画像を繋ぎ合わせて長尺画像を得る長尺撮影を行うなど、１回の検査において、複数枚の画像を連続して撮影する場合も多い。複数枚の画像を連続して撮影するには、１回の充電で駆動できるバッテリの駆動時間は長い方がよい。しかし、駆動時間を長時間化するには、バッテリの容量を大きくする必要があるが、バッテリの容量を大きくすると、電子カセッテの大型化や重量増加によって可搬性や使い勝手が阻害される。
【０００５】
特許文献２には、本体に着脱自在であり把手として機能する増設部を設け、増設部に、バッテリや、通信手段などの機能部を内蔵する電子カセッテが記載されている。こうした電子カセッテでは、増設部にバッテリを収納できるので、本体の内蔵スペースを圧迫することなくバッテリの大型化が可能となる。増設部は必要に応じて着脱できるので、本体の重量増加や大型化が抑制され、可搬性や使い勝手の低下も防止される。
【０００６】
しかし、商用電源と異なり、バッテリの容量は限られているので、バッテリを大型化しても交換は必要になる。特許文献３では、メインバッテリの他に、メインバッテリの交換中に給電が可能な予備バッテリを内蔵した電子カセッテが提案されている。これによれば、メインバッテリを交換する場合に、電子カセッテの電源をオフしなくて済むので、迅速な交換作業が可能になる。
【先行技術文献】
【特許文献】
【０００７】
【特許文献１】特開２００７−３３３３８０号公報
【特許文献２】特開２００３−２４８０６０号公報
【特許文献３】特開２００１−２２４５７９号公報
【発明の概要】
【発明が解決しようとする課題】
【０００８】
こうした電子カセッテは、単体で使用される他、臥位撮影台や立位撮影台などの各種の撮影台に取り付けて使用されることも多い。上記従来の電子カセッテは、バッテリが着脱自在に装着される装着部が１つしか設けられていないため、撮影台に取り付けて使用する場合において、次のような問題があった。
【０００９】
電子カセッテを撮影台に取り付ける場合には、撮影台の種類やカセッテの取り付け姿勢によっては、装着部が撮影台の取り付け部の奥に隠れてしまうことがある。そうすると、バッテリを交換する際、電子カセッテを撮影台から一旦取り外す必要があり、バッテリの交換を短時間で行うことができない。一回の検査中にバッテリ交換が必要になった場合には、その間、被検者を待たせることになるので、バッテリ交換に時間がかかると、被検者の精神的負担も大きい。また、電子カセッテは、従来のフィルムカセッテやイメージングプレート（ＩＰ）を使用したＩＰカセッテに比べて、重量があるため、撮影台からの取り外し作業を行う作業者の負担も大きい。特許文献２や３のように、バッテリを内蔵する増設部や予備バッテリを設けてバッテリの容量を大きくすれば、交換回数を減らすことはできるが、上記問題の解決策にはならない。
【００１０】
そこで、電子カセッテを撮影台に取り付けた状態でバッテリ交換を迅速に行えるように、本出願人は、バッテリの装着部を複数箇所に設けることを検討している。装着部が複数箇所にあれば、撮影台の種類や取り付け姿勢によって１つの装着部が隠れてしまっても、もう１つの装着部を外部に露呈させることが可能となる。しかしながら、装着部を複数箇所に設けると、バッテリが装着されない装着部は空きスペースとなり、筐体内の他の部品を配置する内蔵スペースを圧迫するという新たな問題が生じ、その解決策が望まれていた。上記特許文献１〜３には、こうした新たな問題及びその解決策について明示や示唆はない。
【００１１】
本発明は、上記課題を鑑みてなされたものであり、撮影可能な状態にポジショニングされていても短時間で容易にバッテリの交換が可能で、かつ、筐体内のスペースの有効利用が可能な可搬型放射線画像検出装置を提供することを目的とする。
【課題を解決するための手段】
【００１２】
本発明の可搬型放射線画像検出装置は、被検体を透過した放射線を検出して放射線画像を生成する検出部と、前記検出部を収容する筐体と、前記筐体に設けられ、前記検出部へ電力を供給するバッテリユニットを着脱自在に装着可能な第１及び第２の装着部と、前記第１及び第２の装着部に着脱自在に装着可能な、前記検出部を動作させるための機能部が内蔵された機能部ユニットとを備えていることを特徴とする。また、前記第１及び第２の装着部は、前記バッテリユニット及び前記機能部ユニットを相互に入れ替えて装着することが可能であることが好ましい。
【００１３】
前記筐体は、撮影台に対して着脱自在に取り付け可能であり、前記バッテリユニット及び前記機能部ユニットは、前記筐体の外面から突出しない状態で前記第１及び第２の装着部に装着されることが好ましい。前記バッテリユニット及び前記機能部ユニットは、外形が同一形状であることが好ましい。また、前記筐体の形状は、国際規格ＩＳＯ４０９０：２００１に準拠していることが好ましい。
【００１４】
前記筐体は、放射線が照射される照射面と、照射面の反対側の背面とがほぼ長方形状であり、照射面及び背面のそれぞれの長辺に沿って配置される２つの第１側面と、照射面及び背面のそれぞれの短辺に沿って配置され、前記第１側面と略直交する２つの第２側面とを有しており、前記撮影台に取り付けられたときに１つの前記第１側面が外部に露呈される第１取り付け姿勢と、前記撮影台に取り付けられたときに１つの前記第２側面が外部に露呈される第２取り付け姿勢の２つの姿勢で取り付け可能であることが好ましい。
【００１５】
前記第１の装着部は、前記第１側面の１つに設けられ、前記第２の装着部は、第２側面の１つに設けられていることが好ましい。前記第１及び第２の装着部は、それぞれの収納部へ前記バッテリユニット又は前記機能部ユニットを受け入れるための開口を有することが好ましい。
【００１６】
バッテリユニットが取り外されたときにバッテリユニットの代わりに電力を供給する予備バッテリを備えていることが好ましい。前記機能部は、筐体内の各回路及び素子を制御する制御部であることが好ましい。
【００１７】
前記第１及び第２の装着部は、前記バッテリユニットまたは前記機能部ユニットに設けられたガイド片またはガイド溝と嵌合して、前記バッテリユニットまたは前記機能部ユニットを着脱方向にガイドするガイド溝またはガイド片を有することが好ましい。
【発明の効果】
【００１８】
本発明の可搬型放射線画像検出装置によれば、バッテリユニットが着脱自在に装着される第１及び第２の装着部に着脱自在に装着可能な、検出部を動作させるための機能部が内蔵された機能部ユニットを装着しているので、撮影可能な状態にポジショングされたとき、バッテリユニットを短時間で容易に交換可能であり、且つ筐体内のスペースを有効活用することができる。
【図面の簡単な説明】
【００１９】
【図１】Ｘ線撮影システムの構成を示す概略図である。
【図２】臥位撮影台の斜視図である。
【図３】電子カセッテが取り付けられるトレイを示す斜視図である。
【図４】本発明の電子カセッテ（可搬型放射線画像検出装置）を示す斜視図である。
【図５】ＴＦＴアクティブマトリクス基板の構成を示すブロック図である。
【図６】電子カセッテの電気的構成を示すブロック図である。
【図７】画像データの生成処理を示すフローチャートである。
【図８】トレイに保持された電子カセッテに対してバッテリユニットを交換する状態を示す説明図である。
【図９】バッテリユニットにインジケータランプを設けた一例を示す斜視図である。
【図１０】バッテリユニットまたは機能部ユニットを収納室へ受け入れる切り欠きを設けた一例を示す斜視図である。
【図１１】第２実施形態を示す斜視図である。
【図１２】第３実施形態を示す斜視図である。
【図１３】装着部に蓋部材を設けた第４実施形態の一例を示す斜視図である。
【図１４】蓋部材を閉じ位置から開放位置に回動させて装着部にバッテリユニットを装着するときの状態を示す説明図である。
【図１５】ガイド片を設けたバッテリユニット及びガイド片と嵌合するガイド溝を有する装着部を設けた一例を示す斜視図である。
【図１６】電子カセッテが取り付けられる立位撮影台の一例を示す斜視図である。
【発明を実施するための形態】
【００２０】
図１に示すように、Ｘ線撮影システム１０は、Ｘ線発生器１１と、臥位撮影台１２と、本発明の可搬型放射線画像検出装置である電子カセッテ１３と、コンソール１４と、モニタ１５とを備えている。電子カセッテ１３は、コンソール１４の制御に基づいて、Ｘ線発生器１１から被検者Ｈに照射されて透過したＸ線を検出し、Ｘ線画像を生成する。コンソール１４は、電子カセッテ１３から送信されたＸ線画像に各種画像処理を施し、モニタ１５に表示させる。
【００２１】
Ｘ線撮影システム１０による撮影は、臥位撮影台１２に載せられている被検者Ｈに向けてＸ線発生器１１により上方からＸ線を照射し、そのＸ線が被検者を透過して得られるＸ線像を電子カセッテ１３で検出する。また、四肢や肘等の散乱線が少ない撮影では、臥位撮影台１２の上に電子カセッテ１３を載置して撮影することもある。
【００２２】
図２に示すように、Ｘ線発生器１１は、Ｘ線を発するＸ線管１１ａと、Ｘ線の照射範囲を限定するコリメータ１１ｂと、これらを操作する操作部１１ｃとからなる。Ｘ線発生器１１は、例えば放射線撮影室の天井に移動かつ伸縮自在に設置された支柱に保持され、臥位撮影台１２の上方に配置されている。
【００２３】
臥位撮影台１２は、天板１６と、天板１６の下に設けられた撮影台本体１７とからなる。天板１６は、被検者が横たわることができる長さ及び幅を有する長方形状であり、照射面が水平になるように撮影台本体１７の上に配置されている。天板１６は、Ｘ線の透過率が高いカーボン等で形成されている。
【００２４】
撮影台本体１７は、天板支持部２０と、トレイ２１と、昇降部２２とを備えている。天板支持部２０は、天板１６をＸＹ方向において移動できるように支持するフローティング機構（図示せず）を備えている。フローティング機構には、操作者が手動で天板を移動させる手動式と、電動機構などで自動的に移動させる自動式とがあるが、本実施形態では電動機構による自動式としている。また、操作者が臥位撮影台１２で撮影操作を行う際に位置する、臥位撮影台１２の前面側には、天板支持部２０を操作する操作パネル２３が設けられている。
【００２５】
トレイ２１は、天板１６の下方、かつ天板支持部２０の間に設けられている。トレイ２１は、前面に設けられた把手２１ａを前面側に引くことにより、天板１６の下から引き出せるようになっている。また、トレイ２１は、図示しないスライド機構によりＸ方向に移動する。スライド機構にも上述したフローティング機構と同様に手動式と自動式とがあるが、本実施形態では自動式としている。スライド機構の操作にも操作パネル２３が用いられる。
【００２６】
昇降部２２は、天板１６と、天板支持部２０及びトレイ２１を昇降させる電動式の昇降機構（図示せず）と、昇降機構の周囲を覆う伸縮自在なベローズ型カバー２２ａとを備えている。この昇降機構も操作パネル２３によって操作される。
【００２７】
図３に示すように、トレイ２１は、電子カセッテ１３が着脱自在に取り付けられる取り付け部である。電子カセッテ１３は、放射線が照射される照射面とは反対側の背面をトレイ２１に向けた状態で取り付けられる。トレイ２１の上面には、電子カセッテ１３が不用意に動かないようにその外形サイズに合わせて切り欠かれた開口部２１ｂが形成されている。開口部２１ｂは、臥位撮影台１２の前面方向から電子カセッテ１３を挿入できるように、トレイ２１の前面も切り欠かれている。
【００２８】
開口部２１ｂは、トレイ２１の上方から見ると、略Ｌ字状になっている。これは、長方形状の電子カセッテ１３を縦姿勢と横姿勢の２つの取り付け姿勢で収容するためである。縦姿勢は、電子カセッテ１３の長辺方向が天板１６の長辺方向と平行な姿勢であり、横姿勢は、電子カセッテ１３の長辺方向が天板１６の長辺方向と直交する姿勢である。なお、トレイ２１の形状は、一例であり、これに限らず、電子カセッテ１３を縦姿勢及び横姿勢の２つの姿勢で取り付けられる形状であれば、他の形状でもよい。
【００２９】
図４に示すように、本実施形態で用いられる電子カセッテ１３は、例えば、半切サイズ（３８３．５ｍｍ×４５９．５ｍｍ）のフイルム用またはＩＰ用のカセッテと同様の国際規格ＩＳＯ４０９０：２００１に準拠した外形サイズを有するケース（筐体）２６と、ケース２６内に収容された放射線検出部としてのＦＰＤ２７とを備えている。ケース２６は、Ｘ線が透過可能な材質で形成されている。電子カセッテ１３の外形サイズは、前述した半切サイズの他、四切サイズ、六切サイズ等があり、撮影部位に応じて適宜選択される。
【００３０】
ケース２６には、一方にバッテリユニット２８が装着され、他方に機能部ユニット２９が装着される第１及び第２の装着部３１，３２が設けられている。このケース２６は、放射線が照射される照射面２６ａ及び背面２６ｂがほぼ長方形状をしており、照射面２６ａ及び背面２６ｂの４辺を囲む側面２６ｃ〜２６ｆとを有している。長辺方向に沿って配置される１つの側面２６ｃに第１の装着部３１が、側面２６ｃと直交する短辺方向に沿って配置される１つの側面２６ｄに第２の装着部３２がそれぞれ設けられており、バッテリユニット２８及び機能部ユニット２９を異なる２方向から着脱できるようになっている。なお、図４及び６では、第１の装着部３１に機能部ユニット２９が、第２の装着部３２にバッテリユニット２８が装着されている状態を示している。
【００３１】
電子カセッテ１３が臥位撮影台１２のトレイ２１に縦姿勢及び横姿勢のいずれかの姿勢で取り付けられたとき、トレイ２１の開口部２１ｂを通して側面２６ｃ，２６ｄのいずれかが外部に露呈される。このため、電子カセッテ１３が縦姿勢で取り付けられたときには、側面２６ｃに設けられた第１の装着部３１が開口部２１ｂから外部に露呈し、横姿勢で取り付けられたときには、側面２６ｄに設けられた第２の装着部３２が開口部２１ｂから外部に露呈する。
【００３２】
バッテリユニット２８は、略直方体状で、１つの端面から突出するように凸型のコネクタ３３が設けられている。バッテリユニット２８は、後述するように、電子カセッテ１３の駆動電力を供給するバッテリ５８（図６参照）を内蔵するものである。機能部ユニット２９は、バッテリユニット２８と同じ外形の略直体状で、コネクタ３３と同じ外形のコネクタ３４が設けられている。機能部ユニット２９は、電子カセッテ１３を放射線画像検出装置として機能させるための電気部品の一部を内蔵したものであり、本実施形態においては、後述するように電子カセッテ１３の制御部５３（図６参照）が内蔵されている。
【００３３】
第１及び第２の装着部３１，３２は、それぞれバッテリユニット２８又は機能部ユニット２９を収納する第１及び第２の収納室３５，３６と、第１及び第２の収納室３５，３６のそれぞれに配置され、コネクタ３３，３４と接続されるソケット３７，３８からなる。ソケット３７，３８はバッテリユニット２８又は機能部ユニット２９と電気的に接続するための端子を有する接続部であり、凸型のコネクタ３３，３４と嵌合するように凹型をしている。
【００３４】
第１及び第２の収納室３５，３６は、ケース２６の側面２６ｃ，２６ｄに形成され、バッテリユニット２８又は機能部ユニット２９を受け入れるための開口２６ｇ，２６ｈを有しており、開口２６ｇ，２６ｈの内部は、バッテリユニット２８又は機能部ユニット２９の外形に合わせて形成されている。開口２６ｇ，２６ｈの奥にはソケット３７，３８が設けられている。第１及び第２の収納室３５，３６は、コネクタ３３，３４とソケット３７，３８が接続された装着状態のときに、バッテリユニット２８、機能部ユニット２９の外面がケース２６の外面から突出しない状態でバッテリユニット２８、機能部ユニット２９を収容可能な大きさを有する。上述のように、バッテリユニット２８及び機能部ユニット２９は、ケース２６の外面から突出しない状態で第１及び第２の装着部３１，３２に装着されることから、また、バッテリユニット２８及び機能部ユニット２９は、外形が同一形状であることから、第１及び第２の装着部３１，３２に対してバッテリユニット２８及び機能部ユニット２９を相互に入れ替えて装着しても、バッテリユニット２８及び機能部ユニット２９は、ケース２６の外形から突出しない。
【００３５】
また、第１及び第２の装着部３１，３２からバッテリユニット２８又は機能部ユニット２９を取り外すとき、バッテリユニット２８又は機能部ユニット２９の端部を把持しやすいように、開口２６ｇ，２６ｈの周縁には指先の一部を挿入可能な切り欠き３９が形成されている。
【００３６】
なお、本例においては、凸型のコネクタ３３，３４をバッテリユニット２８及び機能部ユニット２９に、凹型のソケット３７，３８を第１及び第２の装着部３１，３２に設けた例で説明したが、その反対に、凸型のコネクタを第１及び第２の装着部３１，３２に、凹型のソケットをバッテリユニット２８又は機能部ユニット２９に設けてもよい。また、バッテリユニット２８又は機能部ユニット２９と第１及び第２の装着部３１，３２の各接続部の形状は、凹凸が無い形態も考えられるので、適宜変更が可能である。
【００３７】
ＦＰＤ２７は、Ｘ線が照射される照射面２６ａ側から順に、被検者Ｈを透過することによって生じるＸ線の散乱線を吸収するグリッド４０と、Ｘ線を検出するＸ線検出パネル４１と、Ｘ線のバック散乱線を吸収する鉛板４２とを備える。
【００３８】
上記Ｘ線検出パネル４１は、ＴＦＴアクティブマトリクス基板４３（図５及び図６参照）上に、Ｘ線を吸収して電荷に変換する電荷発生層が積層されて構成されている。電荷発生層は例えばセレンを主成分（例えば含有率５０％以上）とする非晶質のａ−Ｓｅ（アモルファスセレン）から成り、Ｘ線が照射されると、照射されたＸ線量に応じた電荷量の電荷（電子−正孔の対）を内部で発生することで、照射されたＸ線を電荷へ変換する。もちろん、Ｘ線検出パネル４１としては、Ｘ線をシンチレータによって可視光に変換した後電荷に変換する間接変換型でもよい。
【００３９】
図５に示すように、ＴＦＴアクティブマトリクス基板４３上には、電荷発生層で発生された電荷を蓄積する蓄積容量と、蓄積容量に蓄積された電荷を読み出すためのＴＦＴを備えた画素４４がマトリクス状に多数個配置されており、照射面２６ａへのＸ線の照射に伴って電荷発生層で発生された電荷は、個々の画素４４の蓄積容量に蓄積される。これにより、照射面２６ａに照射されたＸ線に担持されていた画像情報は電荷情報へ変換されてＴＦＴアクティブマトリクス基板４３に保持される。
【００４０】
ＴＦＴアクティブマトリクス基板４３には、一定方向（行方向）に延設され個々の画素４４のＴＦＴをオンオフさせるための複数本のゲート配線４５と、ゲート配線４５と直交する方向（列方向）に延設されオンされたＴＦＴを介して蓄積容量から蓄積電荷を読み出すための複数本のデータ配線４６が設けられている。個々のゲート配線４５はゲート線ドライバ４７に接続されており、個々のデータ配線４６は信号処理部４８に接続されている。個々の画素４４の蓄積容量に電荷が蓄積されると、個々の画素４４のＴＦＴは、ゲート線ドライバ４７からゲート配線４５を介して供給される信号により行単位で順にオンされ、ＴＦＴがオンされた画素４４の蓄積容量に蓄積されている電荷は、電荷信号としてデータ配線４６を伝送されて信号処理部４８に入力される。
【００４１】
信号処理部４８は、個々のデータ配線毎に設けられた増幅器及びサンプルホールド回路を備えており、個々のデータ配線を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部４８のＡ／Ｄ変換器から出力された画像データは、図6に示す画像メモリ４９に順に記憶される。画像メモリ４９は、少なくとも１枚分のＸ線画像が記憶可能な記憶容量を有しているが、複数枚分のＸ線画像が記憶可能な記憶容量を有するのが好ましい。
【００４２】
図６に示すように、電子カセッテ１３には、装着検出部５１、予備電源部５２、制御部５３、報知部５４が設けられている。これらのうち、制御部５３は、機能部ユニット２９に収容されている。制御部５３は、電子カセッテ１３全体の制御を司るＣＰＵ、後述する画像データ生成処理のプログラムを記憶した記憶媒体としてのＲＯＭ、ワークエリアとしてデータを一時格納するＲＡＭ、各種情報が記憶された記憶手段としてのメモリを含んだマイクロコンピュータで構成されている。
【００４３】
機能部ユニット２９が第１及び第２の装着部３１，３２のいずれか一方に装着されているとき、制御部５３は、コネクタ３４及びソケット３７又はソケット３８を介して信号処理部４８、画像メモリ４９、装着検出部５１、報知部５４などと電気的に接続され、電子カセッテ１３の各部を制御する。
【００４４】
装着検出部５１は、コネクタ３３及びソケット３７又はソケット３８を介してバッテリ５８の信号ラインの出力を検出することにより、装着部３１，３２の一方にバッテリユニット２８が装着されているか否かを検出する。ソケット３７，３８のそれぞれには、バッテリユニット２８からの信号ライン、機能部ユニット２９からの信号ラインを接続する端子及び信号ラインが設けられている。よって、第１及び第２の装着部３１，３２には、バッテリユニット２８及び機能部ユニット２９を相互に入れ替えて装着することが可能であり、バッテリユニット２８及び機能部ユニット２９は、装着部３１，３２が変わっても同様に動作をすることができる。
【００４５】
バッテリユニット２８は、複数回の撮影が可能な電源容量を有する本体部であるバッテリ５８と、バッテリ５８を収納するケースとからなる。さらに、本実施形態のバッテリユニット２８には、通信部５９が内蔵されている。通信部５９は、通信用の電波を発生するアンテナや通信回路からなる無線通信部である。なお、無線通信部は、赤外線などの光通信部でもよい。バッテリ５８は、バッテリユニット２８が装着部３１，３２のいずれかに装着されたときには、コネクタ３３及びソケット３７又はソケット３８を介して電子カセッテ１３内の各種回路・素子に電力を供給する。
【００４６】
バッテリ５８は、充電が可能な二次電池であり、バッテリユニット２８を、クレードルなどの充電器に接続して充電することが可能である。バッテリ５８としては、例えば急速充電に対応したものや大容量タイプなど特性が異なる複数のタイプを用いてもよいし、同一タイプのものを複数用いてもよい。また、バッテリ５８の特性が異なるタイプを見分けやすいように、タイプに応じて異なる色や模様をバッテリユニット２８のケースに付してもよい。また、特性が異なる複数のタイプを用いる場合、撮影手技に応じて最も適したタイプのバッテリユニット２８をコンソール１４が報知するようにしてもよい。
【００４７】
通信部５９は、コネクタ３３及びソケット３７又はソケット３８を介して電子カセッテ１３に接続されたとき、コンソール１４からＸ線の照射時間等の撮影条件と、照射タイミングとを受信する。制御部５３は、通信部５９の受信内容に基づいて各部を制御する。また、通信部５９は、画像メモリ４９に記憶された画像データをコンソール１４に送信する。
【００４８】
バッテリユニット２８は、第１及び第２の装着部３１，３２を使い分けることで、電子カセッテ１３の取り付け姿勢（縦姿勢及び横姿勢）に関わらず、開口部２１ｂから外部に露呈される。こうしたバッテリユニット２８に、通信部５９が設けられているため、通信部５９が臥位撮影台１２の内部に配置される場合と比べて、電波を遮蔽する遮蔽物による無線通信による悪影響が防止され、良好な通信状態を確保することができる。
【００４９】
予備電源部５２は、充電が可能な予備バッテリと、電源回路とから構成されている。電源回路は、バッテリユニット２８が装着部３１，３２のいずれにも装着されていないとき、予備バッテリから電子カセッテ１３内の各種回路・素子へ電力を供給する。また、電子カセッテ１３は、バッテリユニット２８を取り外すと、予備電源部５２へ電力供給が切り替わるようになっており、予備バッテリによる電力供給により、起動中にバッテリユニット２８の交換が可能なホットスワップ（活線挿抜）機能を実現している。これにより、バッテリユニット２８の交換に際して、電子カセッテ１３の電源をオフしないで済むので、再起動が不要となり、迅速なバッテリ交換が可能になる。
【００５０】
電源回路は、バッテリユニット２８が装着部３１，３２のいずれかに装着されたときに、予備バッテリを充電する機能も有している。予備バッテリは、バッテリユニット２８が装着されていない場合、あるいは、バッテリ５８の供給電力が切れた場合、電子カセッテ１３の各部に電力を供給する。予備バッテリの容量としては、例えば、バッテリユニット２８を交換するまでの間、電子カセッテ１３の動作を保証するのに十分な電源容量があればよい。
【００５１】
報知部５４は、ＬＥＤランプやブザー音を出力するためのスピーカ等で構成されている。ＬＥＤランプを複数設けて、エラーの種類に応じて選択されたＬＥＤランプを点灯させたり、エラーの種類に応じてブザー音のリズムを変えて出力したりするなどして、種々のエラーメッセージを報知する。エラーメッセージとしては、例えば、バッテリユニット２８の容量の低下や、バッテリユニット２８の未装着等のバッテリエラーに関するエラーメッセージがある。
【００５２】
次に、以上のように構成されたＸ線撮影システム１０の作用について図７に示すフローチャートに沿って説明する。図２に示すように、臥位撮影台１２に電子カセッテ１３を取り付けて被検者Ｈの撮影を行う場合、先ずは、図３に示すように、撮影目的に応じて、縦姿勢及び横姿勢のいずれかの姿勢で、電子カセッテ１３が臥位撮影台１２のトレイ２１に取り付けられる。このとき、図８（Ａ）に示すように、電子カセッテ１３が縦姿勢のときは、開口部２１ｂから露呈する第１の装着部３１にバッテリユニット２８が装着され、開口部２１ｂから露呈しない第２の装着部３２に機能部ユニット２９が装着される。一方、図８（Ｂ）に示すように、電子カセッテ１３が横姿勢のときは、開口部２１ｂから露呈する第２の装着部３２にバッテリユニット２８が装着され、開口部２１ｂから露呈しない第１の装着部３１に機能部ユニット２９が装着される。
【００５３】
そして、機能部ユニット２９が第１及び第２の装着部３１，３２のいずれかに接続されたとき、制御部５３がコネクタ３４及びソケット３７又はソケット３８を介して、電子カセッテ１３の各部の制御を開始する。先ず、制御部５３は、装着部３１，３２のいずれかにバッテリユニット２８が装着されているか否かを装着検出部５１に検出させる（Ｓ１）。バッテリユニット２８の装着が検出された場合には、制御部５３は、バッテリ５８からコネクタ３３及びソケット３７又はソケット３８を介して、電子カセッテ１３の各部（予備電源部５２を含む）に電力を供給させる（Ｓ２）。
【００５４】
バッテリユニット２８が装着部３１，３２のいずれにも装着されていない場合、制御部５３は、予備電源部５２から各部に電力を供給させるとともに、報知部５４にその旨のエラーメッセージを報知させる（Ｓ４）。また、バッテリユニット２８の装着が検出された場合は、バッテリ５８の残存容量を確認させる（Ｓ３）。バッテリ５８の残存容量が、所定の容量以下の場合には、制御部５３は、報知部５４にその旨のエラーメッセージを報知させる（Ｓ４）。
【００５５】
バッテリユニット２８の装着が検出され、且つ残存容量が十分な場合、制御部５３は、通信部５５を介してコンソール１４と通信を行い、Ｘ線の照射時間等の撮影条件を取得する（Ｓ５）。次いで、制御部５３は、コンソール１４からＸ線の照射開始を表すＸ線照射スタート信号が入力されるのを待って、Ｘ線検出パネル４１に撮影を開始させる（Ｓ６）。
【００５６】
制御部５３は、撮影条件を参照し、所定のＸ線照射時間が経過したか否かを判断する（Ｓ７）。制御部５３は、Ｘ線照射時間の経過後、ゲート線ドライバ４７により、ＴＦＴアクティブマトリクス基板４３からＸ線照射により蓄積した電荷を信号処理部４８に読み出させ、Ｘ線画像の画像データを生成させる。生成された画像データは、画像メモリ４９に一旦記憶された後（Ｓ８）、画像メモリ４９から画像データが読み出され、通信部５９によりコンソール１４に画像データが送信される（Ｓ９）。コンソール１４は、送信されてきた画像データに各種処理を施してモニタ１５に表示する。
【００５７】
このようにして１回目の撮影を終了した後、制御部５３は、コンソール１４と通信を行い、撮影を続行するか否かの指示を取得する（Ｓ１０）。撮影を続行する指示を取得した場合、バッテリユニット２８が装着されているか否かを装着検出部５１に再度検出させる（Ｓ１）。以降は、１回目の撮影と同様にバッテリ５８から電力供給を行い（Ｓ２）、バッテリ５８の残存容量を確認させる（Ｓ３）。バッテリ５８の残存容量が十分な場合は、１回目と同様に撮影条件取得、及びＸ線信号スタート信号を受信して撮影を行い、所定時間経過後、画像データを生成及び記憶し、コンソール１４へ送信する（Ｓ５〜Ｓ９）。
【００５８】
報知部５４の報知によりバッテリユニット２８の残量切れが知らされた場合（Ｓ４）、図８に示すようにバッテリユニット２８の交換を行う。上述したように、電子カセッテ１３がトレイ２１に保持された状態で、トレイ２１の開口部２１ｂから装着部３１，３２のいずれかが露呈しているので、トレイ２１に電子カセッテ１３を取り付けた状態で、バッテリユニット２８を交換することが可能となっている。
【００５９】
バッテリユニット２８の交換に際しては、電子カセッテ１３を取り外さなくて済むので、交換作業が短時間で済む。このため、被検者Ｈを待たせる時間も短いので被検者Ｈの精神的な負担も少ない。また、フイルムカセッテやＩＰカセッテと比べて重量のある電子カセッテ１３を取り外さなくて済むので、交換作業を行う作業者の負担も少ない。また、ホットスワップ機能も備えているので、交換作業をより迅速に行うことができる。
【００６０】
さらに、トレイ２１の開口部２１ｂから露呈してしない、すなわちバッテリユニット２８が装着されていない装着部３１，３２のいずれかには、制御部５３が内蔵された機能部ユニット２９が装着されているので、装着部３１，３２に空きスペースが生じることなく、ケース２６内のスペースを有効活用して部品を効率良く配置することができる。
【００６１】
また、バッテリユニット２８は、その外面がケース２６の外面から突出しない状態で第１及び第２の収納室３５，３６に収納されるので、電子カセッテ１３の取り付け姿勢が制限されることも少ない。例えば、特開２００３−２４８０６０号公報に記載された電子カセッテのように増設部を設けると、本体から増設部が突出することになるため、電子カセッテの外形が撮影台の取り付け部の形状に適合せず、撮影台の種類によっては取り付けられなかったり、取り付け可能な場合でも取り付け姿勢が制限されるという別の問題を生じる。こうした問題は、ＩＳＯ規格によってサイズが定められた、フイルムカセッテやＩＰ（イメージングプレート）カセッテ用の既存の撮影台において特に問題となる。このような本体に増設部を設けた従来の電子カセッテと比べて、本発明の電子カセッテ１３は、取り付け姿勢が制限されないため、臥位撮影台１２の他、様々な撮影台へ取り付けることが可能になる。さらに、電子カセッテ１３は、フイルムカセッテやＩＰカセッテの外形サイズと同様のサイズを有するため、フイルムカセッテやＩＰカセッテ用の既存の撮影台に対する取り付け適性も高い。
【００６２】
なお、上記第１実施形態では、バッテリユニット２８に通信部５９を設けているが、バッテリユニット２８に通信部５９を設けなくてもよい。この場合、通信部５９は、電子カセッテ１３のケース２６内、または機能部ユニット２９内に設けられる。
【００６３】
また、バッテリユニット２８には、バッテリ５８、及び通信部５９の他に、バッテリ５８の残存容量や通信状況などを報知する報知部、バッテリユニットの各部を制御する制御部などを設けてもよい。報知部は、例えば、図９に示すように、ＬＥＤなどからなるインジケータランプ６０である。インジケータランプ６０は、第１及び第２の装着部３１，３２にバッテリユニット２８が装着されたときに外部に露呈されるようにバッテリユニット２８の前面に設けられている。
【００６４】
バッテリユニット２８は、電子カセッテ１３の取り付け姿勢に応じて第１及び第２の装着部３１，３２のいずれかに装着されるので、電子カセッテ１３の取り付け姿勢に関わらず、常に臥位撮影台１２の外部に露呈される位置に配置される。こうしたバッテリユニット２８にインジケータランプ６０を設けることで、良好な視認性を確保できる。
【００６５】
上記第１実施形態では、電子カセッテ１３の側面に第１及び第２の装着部を設けた例で説明したが、撮影台の多くは、電子カセッテ１３を取り付ける取り付け部が、電子カセッテ１３を取り付け状態としたときに電子カセッテ１３の側面だけ露呈されるスロット状である場合が多い。そのため、側面に第１及び第２の装着部を設けておけば、各種の撮影台に対応させることができる。
【００６６】
また、上記第１実施形態では、電子カセッテ１３を撮影台に取り付けて使用する例で説明したが、撮影台に取り付けた状態に限らず、撮影可能な状態にポジショニングされる電子カセッテ１３であれば、本発明を適用することができる。撮影可能な状態にポジショニングされるとは、電子カセッテ１３を撮影台に取り付けた状態のほか、単体で使用される場合（撮影台に取り付けない場合）に、電子カセッテ１３が背面を下向きにして撮影ベッドなどの台に載置されている状態のことを示す。例えば、撮影ベッドや臥位撮影台１２の天板などの台の上に電子カセッテ１３の背面を下向きにして載置し、被検者Ｈの四肢や肘などを電子カセッテ１３の照射面上に載せて撮影するといった手技がある。この場合でも、第１及び第２の装着部が、ケース２６の側面に設けられていれば、バッテリユニット２８の交換がしやすい。
【００６７】
また、上記第１実施形態では、収納室３５，３６は、ケース２６の側面２６ｃ，２６ｄに形成され、バッテリユニット２８または機能部ユニット２９を受け入れるための開口２６ｇ，２６ｈを有しているが、図１０に示す第１実施形態の変形例では、第１の収納室３５は、ケース２６の２つの側面２６ｃ，２６ｆ及び照射面２６ａを切り欠いて、バッテリユニット２８または機能部ユニット２９を受け入れるための切り欠き６２を有しており、第２の収納室３６は、ケース２６の２つの側面２６ｃ，２６ｄ及び照射面２６ａを切り欠いて、バッテリユニット２８または機能部ユニット２９を受け入れるための切り欠き６３を有している。これにより、上記第１実施形態と同様にバッテリユニット２８または機能部ユニット２９を異なる２方向から着脱できるようになっている。なお、第１及び第２の収納室３５，３６が有する切り欠きは、２つの側面及び照射面を切り欠いた形状に限らず、１つの側面と照射面または底面、あるいは２つの側面を切り欠いた形状でもよい。
【００６８】
また、上記第１実施形態では、長辺方向に沿った１つの側面に第１の装着部３１を、短辺方向に沿った１つの側面に第２の装着部３２を設けているが、本発明はこれに限らず、図１１に示す第２実施形態のように、長辺方向に沿って配置された２つの側面または短辺方向に沿って配置された２つの側面にそれぞれ第１及び第２の装着部を設けてもよい。第２実施形態の電子カセッテ７０では、長辺方向に沿って配置された２つの側面７１ｃ，７１ｅにそれぞれ第１及び第２の装着部７２，７３が設けられている。第１及び第２の装着部７２，７３は、それぞれ第１及び第２の収納部７４，７５と、第１及び第２の収納部７４，７５のそれぞれに配置され、バッテリユニット２８又は機能部ユニット２９のコネクタ３３，３４と接続されるソケット７６，７７からなる。第１及び第２の収納部７４，７５は、それぞれ側面７１ｃ，７１ｅに形成され、バッテリユニット２８または機能部ユニット２９を受け入れる開口７１ｇ，７１ｈを有する。
【００６９】
第２実施形態の電子カセッテ７０が用いられる撮影台としては、例えば、互いに対向する２つの取り付け部を有し、一方と他方の取り付け部とでは、互いに反対の取り付け方向から取り付けるようになっており、一方の取り付け部では、電子カセッテ７０の長辺方向に沿った１つの側面７１ｃを露呈させ、他方の取り付け部では電子カセッテ７０の長辺方向に沿った１つの側面７１ｅを露呈させる形態のものも考えられる。この場合には、電子カセッテ７０は、側面７１ｃ，７１ｅにそれぞれ第１及び第２の装着部７２，７３が設けられているため、２つの取り付け部のいずれに取り付けられたときも、一方の装着部が露呈される。このように、長辺方向に沿って配置された２つの側面または短辺方向に沿って配置された２つの側面にそれぞれ装着部を配置しても、本発明の目的を実現することができる。
【００７０】
上記第１実施形態では、バッテリユニット２８または機能部ユニット２９が装着される２つの装着部３１，３２を、それぞれ向きが異なる２つの側面から着脱が可能な位置に１つずつ配置した例で説明したが、照射面と背面にそれぞれ設けてもよし、一方を照射面又は背面に、他方を側面に設けてもよい。
【００７１】
また、２つの装着部３１，３２は、向きが異なる２つの面に設けなくてもよく、図１２に示す第３実施形態のように、同じ面の異なる位置に配置してもよい。第３実施形態の電子カセッテ８０では、ケース８１の長辺方向に沿って配置された側面８１ｃに第１及び第２の装着部８２，８３が設けられている。第１及び第２の装着部８２，８３は、それぞれ第１及び第２の収納部８４，８５と、第１及び第２の収納部８４，８５のそれぞれに配置され、バッテリユニット２８または機能部ユニット２９のコネクタ３３，３４と接続されるソケット８６，８７からなる。第１及び第２の収納部８４，８５は、側面８１ｃに形成され、バッテリユニット２８または機能部ユニット２９を受け入れる開口８１ｇ，８１ｈを有する。
【００７２】
撮影台の種類によっては、電子カセッテが取り付けられたときに、撮影台の取り付け部の形状や大きさによって、電子カセッテの外周面のうちの１つの面（例えば側面）において露呈される領域が異なる場合がある。この場合には、上記第３実施形態の電子カセッテ７０のように、１つの面内の異なる位置に装着部を２つ配置しておくことで、ある撮影台においては、一方の装着部が外部に露呈し、別の撮影台においては、他方の装着部が外部に露呈されるということもあり得る。撮影台に応じて露呈される装着部を使い分ければ、電子カセッテを取り付けた状態でバッテリ交換が可能になる。このように、同じ面の異なる位置に２つの装着部を配置しても、本発明の目的を実現することができる。
【００７３】
上記第１〜第３実施形態では、各装着部は、ケースの側面に形成された開口部から収納室が露呈するように設けられているが、図１３及び図１４に示す第４実施形態のように、電子カセッテ９０に設けられた装着部９２の開口９１ｂを塞ぐ蓋部材９３ａ，９３ｂを設けてもよい。この装着部９２は、上記第１〜第３実施形態の各装着部と同様に、収納部９４とソケット９５とからなり、収納部９４は、ケース９１の側面９１ａに形成され、バッテリユニット２８または機能部ユニット２９を受け入れる開口９１ｂを有する。
【００７４】
蓋部材９３ａ，９３ｂは、開口９１ｂの両側に軸支され、開口９１ｂを塞ぐ閉じ位置と、ケース９１の内部に向かって回動し、開口９１ｂを開放する開放位置との間で観音開き状に開閉自在となっている。また、蓋部材９３ａ，９３ｂは、図示しない付勢部材によって閉じ位置に付勢されている。装着部９２にバッテリユニット２８を装着する場合、図１４（Ａ）に示すように、コネクタ３３の端面で蓋部材９３ａ，９３ｂを押圧すると、付勢部材の付勢に抗して蓋部材９３ａ，９３ｂが閉じ位置から開放位置に回動する（図１４（Ｂ）に示す状態）。これにより、装着部９２の内部が露呈してコネクタ３３をソケット９５に接続することが可能となり、バッテリユニット２８を収納部９４に収容することができる（図１４（Ｃ）に示す状態）。なお、機能部ユニット２９を装着するときも当然バッテリユニット２８と同様に蓋部材９３ａ，９３ｂを閉じ位置から開放位置に回動させて装着することができる。装着部９２は、バッテリユニット２８又は機能部ユニット２９が装着されていない場合、蓋部材９３ａ，９３ｂによって開口９１ｂが塞がれるため、ケース９１内への塵埃などの進入を防ぐことができる。
【００７５】
上記第４実施形態では、電子カセッテ９０の装着部９２に蓋部材９３ａ，９３ｂを設けたが、これに限らず、バッテリユニット２８又は機能部ユニット２９側に蓋部材を設けてもよい。この場合、電子カセッテの装着部には、バッテリユニット２８又は機能部ユニット２９の着脱方向に沿って突出するコネクタを設け、バッテリユニット２８又は機能部ユニット２９には、コネクタと接続するソケット、及びソケットを塞ぐ蓋部材を設ける。バッテリユニット２８又は機能部ユニット２９の押し込みによってコネクタが蓋部材を押圧して蓋部材を回動させ、コネクタとソケットを接続することができる。
【００７６】
また、図１５に示す第５実施形態では、バッテリユニット１００の側面に着脱方向に沿って延びるガイド片１００ａ，１００ｂを設けており、電子カセッテ１０１に設けられた装着部１０２には、ガイド片１００ａ，１００ｂが嵌合するガイド溝１０２ａ，１０２ｂが形成されている。ガイド片１００ａ，１００ｂ及びガイド溝１０２ａ，１０２ｂに沿ってバッテリユニット１００を移動させることで、バッテリユニット１００を着脱方向にガイドすることができる。これに限らず、装着部にガイド片を設け、バッテリユニットにガイド片と嵌合するガイド溝を設けて、バッテリユニットを着脱方向にガイドしてもよい。なお、機能部ユニットでも当然、同様のガイド片またはガイド溝を設けてもよい。また、ガイド片及びガイド溝は、バッテリユニットまたは機能部ユニットの片面だけに設けてもよい。
【００７７】
上記各実施形態では、電子カセッテが取り付けられる撮影台として、臥位撮影台に例を上げたが、図１６に示すように、立位撮影台でもよい。立位撮影台１０５は、床に据え付けられたスタンド１０６と、電子カセッテ１３が着脱自在に取り付けられる取り付け部としてのホルダ１０７とからなる。ホルダ１０７は、側面から内部に連通するスロット１０８が設けられ、スロット１０８に挿入された電子カセッテ１３を保持することができる。スロット１０８の内部は、電子カセッテ１３の長辺方向がホルダ１０７の長辺方向と平行な縦姿勢、または電子カセッテ１３の長辺方向がホルダ１０７の長辺方向と直交する横姿勢のいずれの取り付け姿勢でも電子カセッテ１３が取り付けられるように略Ｌ字状に形成されている。これにより、ホルダ１０７に取り付けられた電子カセッテ１３は、スロット１０８を通して装着部３１，３２のいずれかを露呈させることができるため、上記各実施形態と同様の効果を得ることができる。
【００７８】
上記各実施形態では、機能部ユニット２９に内蔵される機能部として、制御部５３を例に説明したが、これに限らず、報知部、通信部など、電子カセッテを放射線画像検出装置として機能させる電気部品（回路または素子）でもよい。ただし、機能部ユニット２９は、バッテリユニット２８と異なり、撮影台の取り付け部の奥など、外部に露呈されない場所に配置されることになるので、通信部以外の部品であることが好ましい。なぜならば、通信部の周囲に遮蔽物があると、通信状態が悪化するおそれがあるので、通信部は外部に露呈される位置に配置されることが好ましいからである。
【００７９】
また、上記各実施形態では、バッテリユニット又は機能部ユニットが装着される装着部を２つ設けた例で説明したが２つ以上でもよい。本発明は、上記実施形態に限定されるものではなく、発明の要旨を逸脱しない範囲で種々変形して実施することが可能である。
【符号の説明】
【００８０】
１０  Ｘ線撮影システム
１２  臥位撮影台
１３  電子カセッテ（可搬型放射線画像検出装置）
２１  トレイ（取り付け部）
２８  バッテリユニット
２９  機能部ユニット
３１，３２，７２，７３，８２，８３，９２  装着部
９３ａ，９３ｂ  蓋部材
１０５  立位撮影台
１０７  ホルダ（取り付け部）
【図１】
2011232667.tif 000003
【図２】
2011232667.tif 000004
【図３】
2011232667.tif 000005
【図４】
2011232667.tif 000006
【図５】
2011232667.tif 000007
【図６】
2011232667.tif 000008
【図７】
2011232667.tif 000009
【図８】
2011232667.tif 000010
【図９】
2011232667.tif 000011
【図１０】
2011232667.tif 000012
【図１１】
2011232667.tif 000013
【図１２】
2011232667.tif 000014
【図１３】
2011232667.tif 000015
【図１４】
2011232667.tif 000016
【図１５】
2011232667.tif 000017
【図１６】
2011232667.tif 000018